(57)【要約】【課題】優れた排水能力を有するドレンを提供する。【解決手段】軒樋２の下方に配置されて軒樋２の底部２０に形成された落とし口２００に連通する排水筒３と、排水筒３から落とし口２００を通して軒樋２の底部２０より上方に突出する突出部材４とを備える。突出部材４において軒樋２の底部２０より上方に位置する箇所にねじ部４１が形成される。軒樋２の底部２０上に載置される通水可能な通水部材５と、ねじ部４１に螺合されることで、通水部材５を介して軒樋２の底部２０を下方に押圧するねじ部材６とをさらに備える。【選択図】図１
2015071930.tif 000002
【特許請求の範囲】
【請求項１】
軒樋の下方に配置されて前記軒樋の底部に形成された落とし口に連通する排水筒と、前記排水筒から前記落とし口を通して前記軒樋の底部より上方に突出する突出部材とを備え、前記突出部材において前記軒樋の底部より上方に位置する箇所にねじ部が形成され、前記軒樋の底部上に載置される通水可能な通水部材と、前記ねじ部に螺合されることで前記通水部材を介して前記軒樋の底部を下方に押圧するねじ部材とをさらに備えたことを特徴とするドレン。
【請求項２】
前記通水部材と前記ねじ部材が別体であることを特徴とする請求項１に記載のドレン。
【請求項３】
前記通水部材が、前記突出部材の外側に嵌め込み可能な筒状に形成されたことを特徴とする請求項２に記載のドレン。
【請求項４】
前記突出部材は、平面視で同一の仮想円上に配置される複数本の支柱を有し、前記ねじ部が前記各支柱に形成されたねじ溝部で構成された雌ねじであることを特徴とする請求項３に記載のドレン。
【発明の詳細な説明】
【技術分野】
【０００１】
本発明は軒樋と下流側の管材を接続するためのドレンに関する。
【背景技術】
【０００２】
特許文献１には軒樋の底部に取り付けて用いられるドレンが開示されている。このドレンは上部内筒と下部外筒を備えている。上部内筒は雄ねじと雄ねじの上端部外面に形成された鍔部を備えている。上部内筒の雄ねじは、軒樋の底部に形成された排水孔に上方から挿通される。下部外筒は円筒状本体と円筒状本体の上端部外面に形成された鍔部を備えている。円筒状本体の内面には、雌ねじが形成されている。下部外筒の雌ねじは、上部内筒の雄ねじに螺合される。これにより、上部内筒の鍔部と下部外筒の鍔部とで、軒樋の底部における排水孔の周縁部が挟まれて、ドレンが軒樋に取り付けられる。
【先行技術文献】
【特許文献】
【０００３】
【特許文献１】特開平９−２７９７８４号公報
【発明の概要】
【発明が解決しようとする課題】
【０００４】
ところで、特許文献１に開示されたドレンは、上部内筒の雄ねじが下部外筒の内側にねじ込まれる。このため、このねじ込み部分における排水の流路面積は、下部外筒の内径よりも上部内筒の厚みの分だけ小さくなる。よって、排水性が低下する可能性がある。
【０００５】
本発明は前記事情に鑑みてなされたものであって、優れた排水能力を有するドレンを提供することを課題とする。
【課題を解決するための手段】
【０００６】
上記課題を解決するために本発明のドレンは、軒樋の下方に配置されて前記軒樋の底部に形成された落とし口に連通する排水筒と、前記排水筒から前記落とし口を通して前記軒樋の底部より上方に突出する突出部材とを備え、前記突出部材において前記軒樋の底部より上方に位置する箇所にねじ部が形成され、前記軒樋の底部上に載置される通水可能な通水部材と、前記ねじ部に螺合されることで前記通水部材を介して前記軒樋の底部を下方に押圧するねじ部材とをさらに備えたことを特徴とする。
【０００７】
また、前記通水部材と前記ねじ部材が別体であることが好ましい。
【０００８】
また、前記通水部材が、前記突出部材の外側に嵌め込み可能な筒状に形成されることが好ましい。
【０００９】
また、前記突出部材は、平面視で同一の仮想円上に配置される複数本の支柱を有し、前記ねじ部が前記各支柱に形成されたねじ溝部で構成された雌ねじであることが好ましい。
【発明の効果】
【００１０】
本発明に係るドレンは、排水筒を軒樋の下方に配置し、軒樋の底部から上方に突出した突出部材のねじ部にねじ部材を螺合することにより、通水部材と排水筒で軒樋の底部を挟み込んで軒樋に取り付けることができる。また、このように軒樋に取り付けたときには、ねじ部材を軒樋の底部より上方に配置することができ、排水筒の内側には他の部材をねじ込む必要がない。このため、排水筒内の流路面積を大きくして、排水性を高めることができる。
【図面の簡単な説明】
【００１１】
【図１】第１実施形態のドレンが軒樋に取り付けられた状態を示す断面図である。
【図２】第１実施形態のドレンの側面図である。
【図３】第１実施形態のドレンの分解図である。
【図４】第２実施形態のドレンを軒樋に取り付けた状態を示す断面図である。
【図５】第３実施形態のドレンを軒樋に取り付けた状態を示す斜視図である。
【図６】第３実施形態のドレンを軒樋に取り付けた状態を示す一部切欠斜視断面図である。
【図７】第３実施形態のドレンの分解斜視図である。
【図８】第４実施形態のドレンを軒樋に取り付けた状態を示す斜視図である。
【図９】第４実施形態のドレンを軒樋に取り付けた状態を示す一部切欠斜視断面図である。
【図１０】第４実施形態のドレンの分解斜視図である。
【発明を実施するための形態】
【００１２】
以下、添付図面に基づいて本発明の実施形態について説明する。
【００１３】
（第１実施形態）
図１には、第１実施形態のドレン１が軒樋２に取り付けられた状態が示されている。以下、この取り付け状態における方向を基準にし、軒樋２の長手方向を左右方向とし、軒樋２から見て建物側を後方、屋外側を前方として、ドレン１及びその取り付け構造について説明する。
【００１４】
本実施形態のドレン１が取り付けられる軒樋２は角樋である。軒樋２は、建物に取り付けられた軒樋吊具（不図示）に吊り下げられる。軒樋２は、底部２０、前壁部２１、及び後壁部２２を有している。軒樋２の底部２０は略水平である。屋外側に位置する前壁部２１は、底部２０の前端部から立ち上がり、上方に行く程前側に位置するように傾斜している。後壁部２２は、底部２０の後端部から立ち上がり、略鉛直である。
【００１５】
軒樋２の底部２０には、上下に貫通する落とし口２００が形成されている。落とし口２００は例えばホールソー等を用いて平面視円形状に形成される。なお、落とし口２００は非円形状に形成されてもよい。
【００１６】
図３に示されるように、ドレン１は排水筒３、突出部材４、通水部材５、及びねじ部材６を備えている。
【００１７】
図１に示されるように、排水筒３は、筒状部３０と、筒状部３０の上端部に設けられた当接部３１とを有している。筒状部３０は円筒状に形成されている。筒状部３０の軸方向は、下方に行く程後側（建物側）に位置するように傾斜している。筒状部３０の下流側部分（軸方向における下側部分）は、呼び樋７等の下流側の管材を連結可能な連結部３００となっている。
【００１８】
当接部３１は、略鉛直な縦板部３１０と、略水平な横板部３１１で構成されている。筒状部３０の上縁部は、後端部が前方部よりも上方に突出している。縦板部３１０は、筒状部３０の上縁部の後端部から下方に向かって突出しており、軒樋２の後壁部２２と平行になるよう略鉛直である。横板部３１１は、縦板部３１０の下縁部から前方に向かって突出しており、軒樋２の底部２０と平行になるよう略水平である。横板部３１１の左右両側は、筒状部３０の後端部を除く上縁部に接続されている。筒状部３０の上端部の後部は、当接部３１によって塞がれている。
【００１９】
排水筒３の上端部の前部には、筒状部３０の上縁部と横板部３１１で囲まれた、上下に貫通する上開口部３２が形成されている。排水筒３内の空間は、上開口部３２を介して上方に開放されている。
【００２０】
突出部材４は排水筒３の上端部から上方に突出している。突出部材４は、平面視で同一の仮想円上に間隔を介して配置された複数の支柱４０で構成されている。本実施形態の突出部材４は、前後に配置された２本の支柱４０で構成されている。
【００２１】
各支柱４０は、排水筒３の上開口部３２の内面から排水筒３の上方に突出している。各支柱４０は、平面視で前記仮想円に沿った弧状の板状部４００で主体が構成されている。
【００２２】
各支柱４０の板状部４００の下端部からは、嵌入部４０１が外側に向かって突出している。排水筒３の上開口部３２の内面において、各支柱４０の嵌入部４０１に対応する部分には、溝部３３が形成されている。各支柱４０の嵌入部４０１は、対応する溝部３３に嵌め込まれ、各支柱４０はこの状態で排水筒３に連結される。
【００２３】
突出部材４の上端部には、ねじ部４１が形成されている。ねじ部４１は、両支柱４０の夫々の上端部の内側面に形成されたねじ溝部４０２によって構成されており、雌ねじである。なお、突出部材４は、仮想円上に間隔を介して配置される３本以上の支柱４０で構成されてもよい。また、各支柱４０は棒状であってもよい。
【００２４】
排水筒３は軒樋２の下側に配置される。排水筒３の横板部３１１は、軒樋２の底部２０の下面に面接触する。これにより、排水筒３の上方への移動が規制される。排水筒３の縦片部３１０は、軒樋２の後壁部２２の後面に面接触する。これにより、排水筒３の前方への移動が規制される。突出部材４は、軒樋２の下方から、落とし口２００を通して、軒樋２の底部２０よりも上方に突出する。
【００２５】
通水部材５は上下に開口した筒状に形成されている。本実施形態の通水部材５は落ち葉等のごみを捕集する機能を有するフィルター部材である。通水部材５は、ごみ除け部５０と被嵌部５１を有している。ごみ除け部５０は、円環状の上下の枠部５００、５０１を網状（格子状）の周壁部５０２で接続したものであり、全体として縦長円筒状に形成されている。ごみ除け部５０の周壁部５０２には、網目（格子目）で構成された矩形状の通水孔５０３が全体に亘って多数形成されている。
【００２６】
被嵌部５１は、ごみ除け部５０の上端部に取り付けられている。被嵌部５１は、図１に示されるように、ごみ除け部５０の上端部の内周縁部から上方に突出しており、略円筒状に形成されている。被嵌部５１の周壁部には、通水孔５０３が形成されていない。被嵌部５１の内径は、円筒状のごみ除け部５０の内径と略同じである。なお、被嵌部５１は、ごみ除け部５０と一体に形成されてもよい。
【００２７】
被嵌部５１の内側には、被押圧部５２が接続されている。被押圧部５２は、被嵌部５１の周壁部の左右両側部分の間に架け渡されている。なお、被押圧部５２は、被嵌部５１の左右いずれか一方の内面から突出するものであってもよい。また、被押圧部５２は、ごみ除け部５０の上部に形成されてもよい。
【００２８】
図１に示されるように、突出部材４の外側には、筒状の通水部材５が上方から嵌まる。具体的には、各支柱４０のねじ溝部４０２が形成された上端部よりも下方の部分が、ごみ除け部５０の内側に嵌まり込む。また、各支柱４０の上端部が、被嵌部５１の内側に嵌まり込む。
【００２９】
通水部材５を突出部材４に嵌めるには、軒樋２の底部２０上に突出した突出部材４に通水部材５を嵌めることで行ってもよいし、軒樋２の底部２０上に載置した通水部材５に排水筒３に設けられた突出部材４を差し込むことで行ってもよい。
【００３０】
通水部材５は、軒樋２の底部２０上に載置される。この載置状態では、ごみ除け部５０の水平な下端面が軒樋２の落とし口２００の周縁部上に面接触する。通水部材５は、軒樋２よりも背が高い。このため、通水部材５が軒樋２の底部２０上に載置されたとき、通水部材５の上端部である被嵌部５１は、軒樋２の前壁部２１及び後壁部２２よりも上方に突出する。
【００３１】
通水部材５の上端部に形成された被押圧部５２は、両支柱４０の間に配置される。被押圧部５２は、突出部材４のねじ部４１の下端部と同レベル又はねじ部４１よりもやや下方に配置される。
【００３２】
ねじ部材６は上下に開口した略円筒状に形成されている。ねじ部材６の下部の外周面には、雄ねじ６０が形成されている。ねじ部材６の上部には、ねじ部材６を回転するときに施工者によって把持される把持部６１が形成されている。
【００３３】
ねじ部材６は両支柱４０の間（前記仮想円の径方向内側）にねじ込まれる。これにより、ねじ部材６の雄ねじ６０は、各支柱４０のねじ溝部４０２（ねじ部４１）に螺合する。ねじ部材６は、その下端面が通水部材５の被押圧部５２の上面に当接するまで、ねじ部４１にねじ込まれる。突出部材４にねじ込まれたねじ部材６は、通水部材５の被押圧部５２を、下方に向けて押圧する。これにより、軒樋２の底部２０が、通水部材５の下端面と、排水筒３の横板部３１１との間で上下に挟まれて、ドレン１が軒樋２に固定される。
【００３４】
突出部材４にねじ込まれたねじ部材６は、各支柱４０を外側に押圧する。これにより、各支柱４０の上端部は、通水部材５の被嵌部５１と、ねじ部材６の間に挟み込まれる。
【００３５】
排水筒３の連結部３００には、例えば図１に示されるように呼び樋７の上流側端部が直接連結される。排水筒３は、その軸方向を鉛直方向に対して傾けた状態で、軒樋２に取り付けられるため、軒樋２に呼び樋７を連結するためのエルボー等の管材を省略することができる。なお、呼び樋７の下流側端部は、エルボーを介して竪樋の上端部に連結される。
【００３６】
図１に示されるようにドレン１が軒樋２に取り付けられた状態では、軒樋２を流れる雨水は、ドレン１を介して呼び樋７に流れる。具体的に、軒樋２を流れる雨水は、通水部材５の多数の通水孔５０３、両支柱４０の間に形成された空間、及び軒樋２の落とし口２００を介して排水筒３内に流れる。そして、この雨水は、排水筒３に接続された呼び樋７に流れる。
【００３７】
雨水が通水部材５の通水孔５０３を通過するときには、通水部材５の網状のごみ除け部５０によって雨水に含まれる落ち葉等のごみが捕集される。このため、通水部材５よりも下流側の排水筒３や、排水筒３の下流側に配置される管材においては、ごみ等が詰まり難くなる。
【００３８】
以上説明した本実施形態のドレン１は、軒樋２の下方に配置されて軒樋２の底部２０に形成された落とし口２００に連通する排水筒３と、排水筒３から落とし口２００を通して軒樋２の底部２０より上方に突出する突出部材４とを備えている。突出部材４において軒樋２の底部２０より上方に位置する箇所に、ねじ部４１が形成されている。ドレン１は、軒樋２の底部２０上に載置される通水可能な通水部材５と、ねじ部４１に螺合されることで、通水部材５を介して軒樋２の底部２０を下方に押圧するねじ部材６とをさらに備えている。
【００３９】
このドレン１は、排水筒３を軒樋２の下方に配置し、軒樋２の底部２０から上方に突出した突出部材４のねじ部４１にねじ部材６を螺合することにより、通水部材５と排水筒３で軒樋２の底部２０を挟み込んで軒樋２に取り付けることができる。
【００４０】
また、ドレン１を軒樋２に取り付けた場合、ドレン１の取り付けに用いられるねじ部材６を、軒樋２の底部２０より上方に配置することができる。すなわち、従来のように排水筒３の内側に部材をねじ込む必要がない。このため、排水筒３内の流路面積を大きくして排水性を高めることができる。
【００４１】
また、突出部材４のねじ部４１を、軒樋２の底部２０より上方に位置する箇所に形成したことにより、施工者がねじ部材６を締め込む際には、ねじ部材６を、軒樋２の奥部に手を入れることなく、軒樋２が邪魔になり難い高い位置で簡単に操作できる。
【００４２】
また、通水部材５は本実施形態のようにごみを捕集するフィルター部材であることが好ましい。このようにすることで、軒樋２の底部２０を挟み込むための通水部材５を用いて雨水に含まれるごみを捕集することができる。
【００４３】
また、本実施形態のように、通水部材５とねじ部材６は、別体であることが好ましい。このようにすることで、ねじ部材６を締め込んだときに通水部材５に過大なトルクが加わり難くなり、ねじ部材６の締め込みに伴う通水部材５の変形や破損を生じ難くすることができる。
【００４４】
また、本実施形態のように、通水部材５が、突出部材４の外側に嵌め込み可能な筒状に形成されることが好ましい。このようにすることで、通水部材５を突出部材４の外側に嵌め込むだけで、通水部材５を平面視においてねじ部材６により押圧される適切な位置に位置決めして配置することができ、施工が容易になる。
【００４５】
また、本実施形態のように、突出部材４が、平面視で同一の仮想円上に配置される複数本の支柱４０を有し、ねじ部４１が各支柱４０に形成されたねじ溝部４０２で構成された雌ねじであることが好ましい。このようにすると、ねじ部４１に螺合したねじ部材６により、外側に押圧された各支柱４０を通水部材５で支持することができ、ねじ部材６のねじ込みに伴う各支柱４０の変形を生じ難くすることができる。
【００４６】
（第２実施形態）
次に第２実施形態について説明する。なお、以下の説明では第１実施形態と同一の構成については同一の番号を付与し、重複する説明は省略する。
【００４７】
図４には本実施形態のドレン１が軒樋２に取り付けられた状態が示されている。本実施形態のドレン１が取り付けられる軒樋２は、半丸樋であって、断面半円弧状の底部２３を有している。
【００４８】
排水筒３は、軸方向が下方程後方に位置するように傾斜した円筒状に形成されている。排水筒３の上端面３４（上開口部３２の周縁部上面）は、下方に凹んだ断面弧状の凹曲面となっている。本実施形態では、排水筒３の上端面３４が、軒樋２の底部２３の下面に当接する部分となっている。
【００４９】
突出部材４は筒部４３と複数の支柱部４４で構成されている。支柱部４４は、平面視で同一の仮想円上に間隔を介して複数並べて設けられている。本実施形態では、排水筒３に計２本の支柱部４４が設けられており、両支柱部４４は、前後方向に間隔を介して配置されている。
【００５０】
各支柱部４４は、上下に長い棒状であって、排水筒３と一体に形成されている。各支柱部４４は、排水筒３の前側の内面から上開口部３２を介して排水筒３の上方に突出している。
【００５１】
筒部４３は上下に開口した円筒状に形成されている。各支柱部４４の上端部は、筒部４３に一体に接続されている。筒部４３の外周面にはねじ部４１０が形成されている。ねじ部４１０は雄ねじである。
【００５２】
排水筒３の上端面３４は、軒樋２の断面弧状の底部２３の下面に沿って面接触した状態で当接される。これにより、排水筒３は前後方向の移動が規制され、図４に示される向きとなるよう位置決めされた状態で配置される。
【００５３】
本実施形態の通水部材５も落ち葉等のごみを捕集する機能を有するフィルター部材である。通水部材５は、上下の環状の枠部５３，５４同士を、周方向に複数設けられた柱部５５で接続したものであり、全体として筒状に形成されている。通水部材５の上下の枠部５３，５４の内側には、平面視円形で上下に貫通する孔５６が形成されている。通水部材５の複数の柱部５５で構成された周壁部には、隣り合う柱部５５の間に形成された通水孔５０３が周方向に多数形成されている。
【００５４】
通水部材５の下側の枠部５４は、軒樋２の長手方向と直交する断面において、軒樋２の底部２３の上面に沿う弧状に形成されている。枠部５４の下面で構成された、通水部材５の下端面は、下方に凸となる断面弧状になっている。通水部材５は、下側の枠部５４の下面を軒樋２の底部２３の上面に面接触させた状態で、軒樋２の底部２３上に載置される。
【００５５】
突出部材４は通水部材５の上下の枠部５３、５４の孔５６に嵌め込まれる。突出部材４の上端部に形成された筒部４３は、通水部材５の上側の枠部５３よりも上方に突出する。
【００５６】
円筒状のねじ部材６の内周面には、雌ねじ６２が形成されている。雌ねじ６２は、突出部材４の筒部４３のねじ部４１０に螺合される。ねじ部材６は、その下端面が通水部材５の上側の枠部５３の上面に当接するまで、ねじ部４１０に締め込まれる。突出部材４に螺合されたねじ部材６は、通水部材５の上側の枠部５３を下方に向けて押圧する。ねじ部材６によって下方に押圧された通水部材５の下側の枠部５４の下面と、排水筒３の上端面との間には、軒樋２の底部２３が上下に挟まれる。これにより、ドレン１が軒樋２に固定される。
【００５７】
図４に示されるようにドレン１が軒樋２に取り付けられた状態では、軒樋２を流れる雨水は、通水部材５の多数の通水孔５０３、両支柱部４４の間に形成された空間、及び軒樋２の落とし口２００を介して排水筒３内に流れる。そして、この雨水は、排水筒３に接続された呼び樋７に流れる。また、雨水が通水部材５の通水孔５０３を通過するときには、通水部材５の柱部５５により、雨水に含まれる落ち葉等のごみが捕集される。
【００５８】
（第３実施形態）
次に第３実施形態について説明する。なお、以下の説明では第１実施形態と同じ機能を有する要素については同一の番号を付与し、重複する説明は省略する。
【００５９】
図５〜図７に示された本実施形態のドレン１は、通水部材５とは別に、フィルター部材８を備えている。
【００６０】
本実施形態の突出部材４は、図７に示されるように、筒部４５と複数の支柱部４６とを有している。支柱部４６は、平面視で同一の仮想円上に間隔を介して複数並べて設けられている。本実施形態では計２本の支柱部４６が設けられ、両支柱部４６は前後方向に間隔を介して配置されている。各支柱部４６は上下に長い板状である。
【００６１】
各支柱部４６の下端部の左右両側には、前後に貫通し左右方向における外側に向かって開口した凹所４６０が形成されている。
【００６２】
排水筒３の上開口部３２の内面において、各支柱部４６の凹所４６０に対応する部分には、突起３５が形成されている。各支柱部４６の凹所４６０には対応する突起３５が嵌め込まれ、各支柱部４６はこの状態で排水筒３に連結される。
【００６３】
筒部４５は上下に開口した略円筒状に形成されている。各支柱部４６の上端部は、筒部４５に一体に接続されている。各支柱部４６の下部同士は接続部４７を介して一体に接続されている。
【００６４】
筒部４５の外周面にはねじ部４１１が形成されている。ねじ部４１１は雄ねじである。なお、突出部材４は、仮想円上に配置される３本以上の支柱部４６で構成されてもよい。また、各支柱部４６は棒状であってもよい。
【００６５】
図７に示されるように、通水部材５は、上下の板部９０，９１同士を複数の連結部９２，９３で連結したものである。上下の板部９０，９１は軒樋２の底部２０と平行になるよう略水平である。上下の板部９０，９１の中央には、上下方向に貫通する挿通孔９００，９１０が夫々形成されている。
【００６６】
本実施形態の通水部材５は計２つの連結部９２，９３を有している。連結部９２は通水部材５の前側に設けられ、連結部９３は通水部材５の後側に設けられている。各連結部９２，９３は縦長で厚み方向を前後方向とした矩形板状に形成されている。前側の連結部９２は上下の板部９０，９１における前端部同士を連結しており、挿通孔９００，９１０よりも前側に位置している。後側の連結部９３は上下の板部９０，９１における後端部同士を連結しており、挿通孔９００，９１０よりも後側に位置している。
【００６７】
図６に示されるように下側の板部９１には、挿通孔９１０の周縁部から下方に向かって突出した位置決め筒部９１１が形成されている。位置決め筒部９１１は外周面が軒樋２の落とし口２００の内周面に沿う筒状に形成されている。
【００６８】
通水部材５の下面部を構成する下側の板部９１は、位置決め筒部９１１を落とし口２００に嵌め込んだ状態で軒樋２の底部２０上に載置される。これにより、板部９１の挿通孔９１０は、排水筒３の内側に連通する。また、下側の板部９１は、位置決め筒部９１１が落とし口２００に嵌め込まれることで、軒樋２に対する水平方向の移動が規制される。
【００６９】
通水部材５の下側の挿通孔９１０には、落とし口２００から上方に突出した突出部材４の両支柱部４６が挿通される。通水部材５の上側の挿通孔９００には落とし口２００から上方に突出した突出部材４の筒部４５が挿通される。
【００７０】
図７に示されるように、筒部４５の下端部には、外方に突出した突部４５０が複数形成されている。これら突部４５０は、上側の板部９０の挿通孔９００の孔縁に形成された凹部９０１に嵌め込まれる。これにより、上側の板部９０の周方向の位置が決まり、通水部材５が軒樋２に対して縦軸回りに回動することが規制される。
【００７１】
図６に示されるように円筒状のねじ部材６の内周面には、雌ねじ６３が形成されている。雌ねじ６３は、通水部材５の上面部を構成する上側の板部９０よりもさらに上方に突出した筒部４５のねじ部４１１に螺合される。ねじ部材６はその下端面が通水部材５の上側の板部９０の上面に当接するまで、ねじ部４１１に締め込まれる。
【００７２】
突出部材４に螺合されたねじ部材６は、通水部材５の上側の板部９０を下方に向けて押圧する。これにより、軒樋２の底部２０は、通水部材５の下側の板部９１の下面と、排水筒３の上端面とで挟まれ、排水筒３、突出部材４、通水部材５、及びねじ部材６が軒樋２に対して固定される。
【００７３】
フィルター部材８は通水部材５に対して着脱可能に固定される。図７に示されるようにフィルター部材８は、ごみ除け部８０と軒樋固定部８１を有している。ごみ除け部８０は、後方及び下方に開口した籠状に形成されている。ごみ除け部８０は網状（格子状）に形成されており、その全体に亘るように、網目（格子目）で構成された矩形状の通水孔８０４が多数形成されている。
【００７４】
ごみ除け部８０は、後方に開口した半割筒状の壁部８００と、壁部８００で囲まれた空間の上方に配置される天井部８０１とで構成されている。
【００７５】
壁部８００は、ごみ除け部８０の前面を構成する前面部８０２と、ごみ除け部８０の側面を構成する左右両側の側面部８０３で構成されている。両側面部８０３は前面部８０２の左右両側端部から後側に向かって突出している。両側面部８０３は、後方程互いに離れるように傾斜している。
【００７６】
天井部８０１は前端部が前面部８０２の上端部に接続され、両側端部が側面部８０３の上端部に接続されている。
【００７７】
フィルター部材８は、壁部８００の下端面を軒樋２の底部２０に面接触させた状態で軒樋２の底部２０上に載置される。フィルター部材８の壁部８００は通水部材５の後方を除く周囲を覆い、天井部８０１は通水部材５及びねじ部材６の上方を覆う。
【００７８】
壁部８００の前面部８０２には、前後方向に貫通し下方に開口した開口部８０５が形成されている。開口部８０５は通水孔８０４よりも大きく、通水部材５の前側の連結部９２に略合致する略矩形状に形成されている。
【００７９】
ごみ除け部８０の開口部８０５には、通水部材５の前側の連結部９２が嵌め込まれる。また、ごみ除け部８０の開口部８０５の下端部は上方部よりも左右幅が大きくなっており、この部分には通水部材５の下側の板部９１の前端部が嵌め込まれる。これによりフィルター部材８が通水部材５に対して左右方向の移動することが規制される。
【００８０】
フィルター部材８の両側の側面部８０３の後端面は、各側面部８０３の後端部において後側に突出した上下複数の横片部８０６の突出端面で構成されている。各側面部８０３の後端面は、前後方向に対して垂直な壁沿部８０７を構成している。
【００８１】
図５に示されるように、ごみ除け部８０の両側の壁沿部８０７は、軒樋２の後壁部２２の前面に対向して配置される。これにより、フィルター部材８は軒樋２によって後方への移動が規制される。
【００８２】
ごみ除け部８０の両側の側面部８０３の後端部を構成する横片部８０６のうち、上端部に位置する横片部８０６以外の横片部８０６は軒樋２の後壁部２２の上端部から前方に突出した後耳部２２０の下方に配置される。これによりフィルター部材８は、軒樋２の上方に抜け出難くなる。なお、両側の壁沿部８０７は、軒樋２の後壁部２２の前面に当接してもよいし、軒樋２の後壁部２２の前面の近傍に配置されてもよい。
【００８３】
軒樋固定部８１は、ごみ除け部８０の上面部を構成する天井部８０１から前方に向かって突出している。軒樋固定部８１の前端部には、掛止部８１０が形成されている。掛止部８１０は軒樋２の前壁部２１の上端部に形成された前耳部２１０に着脱可能に掛止され、これによりフィルター部材８は上下及び前方への移動が規制される。
【００８４】
すなわち、フィルター部材８は、開口部８０５に通水部材５を嵌め込み、両壁沿部８０７を軒樋２の後壁部２２に沿わせ、軒樋固定部８１の掛止部８１０を軒樋２の前耳部２１０に掛止することで、軒樋２及びこれに取り付けられた通水部材５の両者に固定される。このようにフィルター部材８を固定することで、通水部材５及びねじ部材６は、図５に示されるようにごみ除け部８０、軒樋２の底部２０、及び後壁部２２に囲まれた空間に配置される。
【００８５】
また、前記のように通水部材５及び軒樋２に固定されたフィルター部材８は、ねじ部材６を突出部材４に螺合して排水筒３及び通水部材５を軒樋２に取り付けた状態のまま取り外すことができる。フィルター部材８を取り外すには、掛止部８１０を前耳部２１０から外してフィルター部材８を上方に引き上げ、これにより開口部８０５から通水部材５を外せばよい。
【００８６】
図５に示されるようにドレン１が軒樋２に取り付けられた状態では、軒樋２を流れる雨水は、フィルター部材８の壁部８００の通水孔８０４を通過する。この雨水は、通水部材５の両連結部９２，９３の間、及び下側の挿通孔９１０を順に通り、軒樋２の落とし口２００から排水筒３に排出される。ここで、軒樋２を流れる雨水がフィルター部材８の通水孔８０４を通過するときには、フィルター部材８の網状のごみ除け部８０によって雨水に含まれる落ち葉等のごみが捕集される。
【００８７】
（第４実施形態）
次に第４実施形態について説明する。なお、以下の説明では第２実施形態と同じ機能を有する要素については同一の番号を付与し、重複する説明は省略する。
【００８８】
図８〜図１０に示された本実施形態のドレン１は、通水部材５とは別に、フィルター部材８を備えている。
【００８９】
図１０に示されるように、通水部材５は、上下の板部９５，９６同士を複数の連結部９７、９８で連結したものである。上側の板部９５は略水平である。下側の板部９６は、軒樋２の底部２３の上面と平行になるよう左右方向に直交する断面形状が円弧状になっている。上下の板部９５，９６の中央には、上下方向に貫通する挿通孔９５０，９６０が夫々形成されている。
【００９０】
通水部材５は計２つの連結部９７，９８を有している。連結部９７は通水部材５の前側に設けられ、連結部９８は通水部材５の後側に設けられている。各連結部９７，９８は縦長で厚み方向を前後方向とした板状に形成されている。前側の連結部９７は上下の板部９５，９６における前端部同士を連結しており、挿通孔９５０，９６０よりも前側に位置している。後側の連結部９８は上下の板部９５，９６における後端部同士を連結しており、挿通孔９５０，９６０よりも後側に位置している。
【００９１】
図９に示されるように、通水部材５の下面部を構成する下側の板部９６は、挿通孔９６０を落とし口２００に連通させた状態で軒樋２の底部２３上に載置される。この載置状態では、下側の板部９６の下面は、軒樋２の底部２３の上面に面接触する。
【００９２】
通水部材５の上下の挿通孔９５０，９６０には、落とし口２００から上方に突出した突出部材４の両支柱部４４が挿通される。これにより、両支柱部４４によって上下の板部９５，９６の水平方向の位置が決まり、通水部材５の水平方向の移動が規制される。
【００９３】
突出部材４の両支柱部４４は、通水部材５の上下の挿通孔９５０，９６０の孔縁部の夫々に形成された凹部９９，１００（図１０参照）に嵌め込まれる。これにより、上下の板部９５，９６の周方向の位置が決まり、通水部材５は突出部材４に対して縦軸回りに回動し難くなる。
【００９４】
突出部材４のねじ部４１０に締め込まれたねじ部材６は、通水部材５の上側の板部９５を下方に向けて押圧する。これにより、軒樋２の底部２３は、通水部材５の下側の板部９６の下面と、排水筒３の上端面との間において上下に挟まれ、排水筒３、突出部材４、通水部材５、及びねじ部材６が軒樋２に対して固定される。
【００９５】
フィルター部材８は通水部材５に対して着脱可能に固定される。図１０に示されるようにフィルター部材８は網状（格子状）に形成されており、その全体に亘るように、網目（格子目）で構成された矩形状の通水孔８４が多数形成されている。
【００９６】
フィルター部材８は、左右に離間した側面部８２と、側面部８２の上端部同士を繋ぐ上面部８３とで構成されている。図８に示されるように、フィルター部材８の左右の側面部８２は、通水部材５の左右両側に配置される。各側面部８２は左右方向から見て軒樋２の内面に合致する半円状に形成されている。フィルター部材８の各側面部８２は、軒樋２の底部２３上に載置される。このとき、各側面部８２の円弧状の下面は、軒樋２の内面の周方向の全体に亘って接触した状態となり、これによりフィルター部材８の前後方向及び下方への移動が規制される。また、このように配置されたフィルター部材８の各側面部８２は、左右方向から見たときに、軒樋２において雨水が流れる領域の全体に亘って配置され、通水部材５の左右両側を覆う。
【００９７】
図１０に示されるように、フィルター部材８の上面部の中央部には、上下に貫通する嵌込孔８３０が形成されている。嵌込孔８３０は平面視円形の孔であって、その直径はねじ部材６の外径と略同じである。
【００９８】
フィルター部材８の嵌込孔８３０には、突出部材４に螺合したねじ部材６が嵌め込まれる。これによりフィルター部材８の通水部材５に対する水平方向の移動が規制される。
【００９９】
すなわち、フィルター部材８は、両側の側面部８２を軒樋２の底部２３上に載置して軒樋２の内側に嵌め込み、且つ、嵌込孔８３０にねじ部材６を嵌め込むことで、軒樋２及びこれに取り付けられた通水部材５の両者に対して固定される。このようにフィルター部材８を固定することで、通水部材５は、図８に示されるようにフィルター部材８と軒樋２とで囲まれた空間に配置される。
【０１００】
また、前記のように軒樋２及び通水部材５に対して固定されたフィルター部材８は、フィルター部材８を上方に持ち上げて、両側の側面部８２を軒樋２から引き抜くことで簡単に取り外すことができる。
【０１０１】
図８に示されるようにドレン１が軒樋２に取り付けられた状態では、軒樋２を流れる雨水は、フィルター部材８の側面部８２の通水孔８４を通過する。この雨水は、通水部材５の両連結部９７，９８の間、及び下側の挿通孔９６０を順に通り、軒樋２の落とし口２００から排水筒３に排出される。ここで、軒樋２を流れる雨水がフィルター部材８の通水孔８４を通過するときには、フィルター部材８の網状の側面部８２によって雨水に含まれる落ち葉等のごみが捕集される。
【０１０２】
なお、第１〜第４実施形態では、排水筒３の軸方向が鉛直方向に対して傾斜しているが、鉛直であってもよい。また、第１〜第４実施形態において、排水筒３に連結される下流側の管材は、呼び樋７に限られず、エルボー等の継手や竪樋であってもよい。また、第１〜第４実施形態における通水部材５は、ねじ部材６と一体に形成されてもよい。また、この他、第１〜第４実施形態におけるドレン１は、本発明の趣旨を逸脱しない範囲内で設計変更可能である。
【符号の説明】
【０１０３】
１  ドレン
２  軒樋
３  排水筒
４  突出部材
５  通水部材
６  ねじ部材
２０  底部
２３  底部
４０  支柱
４１  ねじ部
２００  落とし口
４０２  ねじ溝部
【図１】
2015071930.tif 000003
【図２】
2015071930.tif 000004
【図３】
2015071930.tif 000005
【図４】
2015071930.tif 000006
【図５】
2015071930.tif 000007
【図６】
2015071930.tif 000008
【図７】
2015071930.tif 000009
【図８】
2015071930.tif 000010
【図９】
2015071930.tif 000011
【図１０】
2015071930.tif 000012